(57)【要約】【課題】プロジェクターのファームウェアのアップデートにおいて、設定情報が誤って消去された場合でも元に戻すことができるプロジェクターを提供する。【解決手段】プロジェクター１が情報処理装置ＰＣよりファームウェアダウンロード要求コマンドを受け付けると（ステップＳ１０１）、設定情報２１２を送信し（ステップＳ１０４）、ファームウェアダウンロードデータを受信し（ステップＳ１０６）、バックアップした設定情報２１２を取得する（ステップＳ１０９）。【選択図】図４
2014081699.tif 000002
【特許請求の範囲】
【請求項１】
画像を投写するプロジェクターであって、
外部の装置と通信する通信手段と、
当該プロジェクターの光源点灯時間情報、およびエラー発生情報を含む設定情報を記憶する記憶手段と、
当該プロジェクターを制御する制御手段と、を備え、
前記制御手段は、前記外部の装置より当該プロジェクターのファームウェアのダウンロード要求を受け付けた場合、前記通信手段を介して前記外部の装置に前記設定情報をバックアップし、前記ファームウェアのダウンロードが終了した後で、前記外部の装置より、バックアップした前記設定情報を取得し、前記記憶手段に設定することを特徴とする、プロジェクター。
【請求項２】
請求項１に記載のプロジェクターであって、
前記制御手段は、所定のタイミングで前記通信手段を介して前記外部の装置に前記設定情報をバックアップすることを特徴とする、プロジェクター。
【請求項３】
請求項２に記載のプロジェクターであって、
前記制御手段は、所定の操作を受け付けた場合に、前記外部の装置より、バックアップした前記設定情報を取得し、前記記憶手段に設定することを特徴とする、プロジェクター。
【請求項４】
請求項１から３のいずれか一項に記載のプロジェクターであって、
前記通信手段は複数の他のプロジェクターとも通信し、
前記記憶手段は、前記他のプロジェクターの前記設定情報をバックアップするバックアップ情報を記憶し、
前記制御手段は、前記他のプロジェクターへの当該プロジェクターのファームウェアのダウンロードと、前記他のプロジェクターの前記設定情報を前記記憶手段に記憶させるバックアップとを含む、ファームウェアアップデート処理を実行することを特徴とする、プロジェクター。
【請求項５】
請求項４に記載のプロジェクターであって、
前記制御手段は、前記外部の装置より、当該プロジェクターのファームウェアのダウンロードが終了した後で、前記他のプロジェクターに対して前記ファームウェアアップデート処理を実行することを特徴とする、プロジェクター。
【請求項６】
請求項４に記載のプロジェクターであって、
前記制御手段は、所定の操作を受け付けたとき、前記他のプロジェクターに対して前記ファームウェアアップデート処理を実行することを特徴とする、プロジェクター。
【請求項７】
画像を投写するプロジェクターの制御方法であって、
外部の装置と通信する通信手段と、
当該プロジェクターの光源点灯時間情報、およびエラー発生情報を含む設定情報を記憶する記憶手段と、
当該プロジェクターを制御する制御手段と、を備え、
前記外部の装置より当該プロジェクターのファームウェアのダウンロード要求を受け付けた場合、前記通信手段を介して前記外部の装置に前記設定情報をバックアップするバックアップステップと、前記ファームウェアのダウンロードが終了した後で、前記外部の装置より、バックアップした前記設定情報を取得するリストアステップと、を有することを特徴とする、プロジェクターの制御方法。
【発明の詳細な説明】
【技術分野】
【０００１】
本発明は、画像を投写するプロジェクター、およびプロジェクターの制御方法に関する。
【背景技術】
【０００２】
画像を投写するプロジェクターの内部の制御プログラム（ファームウェア）をアップデートする場合、外部記憶媒体を接続してダウンロードする方法の他、下記の特許文献１のようにパーソナルコンピューター（ＰＣ）を接続してファームウェアをダウンロードする方法や、ネットワークに接続し、サーバーなどからファームウェアをダウンロードする方法が用いられていた。
【先行技術文献】
【特許文献】
【０００３】
【特許文献１】特開２００７−２６３１３号公報
【発明の概要】
【発明が解決しようとする課題】
【０００４】
プロジェクターには光源の点灯時間情報、エラーの発生情報、メニュー項目の設定値など複数の設定情報が保存されているが、何らかの要因でファームウェアのダウンロードに失敗した場合、これらの設定情報が消去されてしまう虞があった。また、ダウンロードしたファームウェアの初期化を実行する際に、設定情報が同時に初期化され、消去されてしまうことがあった。このため、これらの設定情報を保持する場合には、ファームウェアのダウンロードの前に設定情報をバックアップしておく必要があった。
特許文献１のような、ＰＣを使ったファームウェアのダウンロードの場合、学校や企業など複数のプロジェクターが使われる環境では１台ずつファームウェアをダウンロードしていくため時間がかかり、さらに設定情報のバックアップを忘れたり、誤って異なる情報を戻したりしてしまう虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像を投写するプロジェクターであって、外部の装置と通信する通信手段と、当該プロジェクターの光源点灯時間情報、およびエラー発生情報を含む設定情報を記憶する記憶手段と、当該プロジェクターを制御する制御手段と、を備え、前記制御手段は、前記外部の装置より当該プロジェクターのファームウェアのダウンロード要求を受け付けた場合、前記通信手段を介して前記外部の装置に前記設定情報をバックアップし、前記ファームウェアのダウンロードが終了した後で、前記外部の装置より、バックアップした前記設定情報を取得し、前記記憶手段に設定することを特徴とする。
【０００７】
本適用例によれば、プロジェクターが外部の装置よりファームウェアのダウンロード要求を受け付けると、ダウンロード前に設定情報を外部の装置にバックアップし、ダウンロード後に外部の装置にバックアップした設定情報を戻すため、ファームウェアのダウンロードによるアップデート時に、誤って設定情報が消去されてしまうのを防止することが可能となる。
【０００８】
［適用例２］上記適用例に記載のプロジェクターにおいて、前記制御手段は、所定のタイミングで前記通信手段を介して前記外部の装置に前記設定情報をバックアップすることを特徴とする。
【０００９】
本適用例によれば、所定のタイミングでプロジェクターの設定情報を外部の装置にバックアップしているので、ファームウェアが何らかの要因で誤動作して設定情報が消去されてしまった場合でも、外部の装置にバックアップしておいた設定情報を戻すことが可能となる。
【００１０】
［適用例３］上記適用例に記載のプロジェクターにおいて、前記制御手段は、所定の操作を受け付けた場合に、前記外部の装置より、バックアップした前記設定情報を取得し、前記記憶手段に設定することを特徴とする。
【００１１】
本適用例によれば、所定のタイミング（例えば、プロジェクターの電源オフ時や所定操作検出時）でプロジェクターの設定情報を外部の装置にバックアップするため、ファームウェアが何らかの要因で誤動作して設定情報が消去されてしまった場合や、誤操作で初期化されてしまった場合でも、所定の操作により、外部の装置にバックアップしておいた設定情報を戻すことが可能となる。
【００１２】
［適用例４］上記適用例に記載のプロジェクターにおいて、前記通信手段は複数の他のプロジェクターとも通信し、前記記憶手段は、前記他のプロジェクターの前記設定情報をバックアップするバックアップ情報を記憶し、前記制御手段は、前記他のプロジェクターへの当該プロジェクターのファームウェアのダウンロードと、前記他のプロジェクターの前記設定情報を前記記憶手段に記憶させるバックアップとを含む、ファームウェアアップデート処理を実行することを特徴とする。
【００１３】
本適用例によれば、複数のプロジェクターが通信によって接続使用される環境において、本適用例のプロジェクターが他のプロジェクターに対しての外部の装置として動作し、他のプロジェクターに対してファームウェアのダウンロードと、設定情報のバックアップとを行うファームウェアアップデート処理を実行する。これにより、複数のプロジェクターが使用される環境において、例えば情報処理装置が本適用例の１台のプロジェクターのファームウェアアップデート処理を行えば、以後は情報処理装置がなくても、当該プロジェクターの通信手段により他のプロジェクターのファームウェアアップデート処理を行うことができる。よって、情報処理装置を他のプロジェクターのファームウェアアップデート処理の環境で占有されるのを防止し、ファームウェアアップデート処理の時間を短縮することが可能となる。
【００１４】
［適用例５］上記適用例に記載のプロジェクターにおいて、前記制御手段は、前記外部の装置より、当該プロジェクターのファームウェアのダウンロードが終了した後で、前記他のプロジェクターに対して前記ファームウェアアップデート処理を実行することを特徴とする。
【００１５】
本適用例によれば、複数のプロジェクターが通信によって接続使用される環境において、例えば情報処理装置が本適用例の１台のプロジェクターのファームウェアアップデート処理を行えば、そのあと、情報処理装置がなくても当該プロジェクターが他プロジェクターのファームウェアアップデート処理を行うので、情報処理装置を他のプロジェクターのファームウェアアップデート処理の環境で占有されるのを防止し、ファームウェアアップデート処理の時間を短縮することが可能となる。
【００１６】
［適用例６］上記適用例に記載のプロジェクターにおいて、前記制御手段は、所定の操作を受け付けたとき、前記他のプロジェクターに対して前記ファームウェアアップデート処理を実行することを特徴とする。
【００１７】
本適用例によれば、複数のプロジェクターが通信によって接続使用（接続）される環境において、プロジェクターが所定の操作を受け付けたとき、接続された他のプロジェクターにファームウェアアップデート処理を行うことができる。これにより、例えば情報処理装置を接続せずに他のプロジェクターのファームウェアを、プロジェクターと同じファームウェアにアップデートすることが可能となる。
【００１８】
［適用例７］本適用例に係るプロジェクターの制御方法は、画像を投写するプロジェクターの制御方法であって、外部の装置と通信する通信手段と、当該プロジェクターの光源点灯時間情報、およびエラー発生情報を含む設定情報を記憶する記憶手段と、当該プロジェクターを制御する制御手段と、を備え、前記外部の装置より当該プロジェクターのファームウェアのダウンロード要求を受け付けた場合、前記通信手段を介して前記外部の装置に前記設定情報をバックアップするバックアップステップと、前記ファームウェアのダウンロードが終了した後で、前記外部の装置より、バックアップした前記設定情報を取得するリストアステップと、を有することを特徴とする。
【００１９】
本適用例によれば、プロジェクターが外部の装置よりファームウェアのダウンロード要求を受け付けると、ダウンロード前に設定情報を外部の装置にバックアップし、ダウンロード後にバックアップした設定情報を戻すため、ファームウェアをダウンロード時に誤って設定情報が消去されてしまうのを防止することが可能となる。
【図面の簡単な説明】
【００２０】
【図１】プロジェクターと情報処理装置との通信制御を示す図。
【図２】複数のプロジェクターのファームウェアのアップデート遷移を示す図。
【図３】プロジェクターの回路構成を示すブロック図。
【図４】プロジェクターがファームウェアのダウンロード要求を受け付けたときの動作を示すフローチャート。
【図５】プロジェクターがファームウェアアップデート処理を行うときの動作を示すフローチャート。
【図６】プロジェクターが設定情報をバックアップするときの動作を示すフローチャート。
【図７】プロジェクターがバックアップした設定情報のリストア操作を受け付けたときの動作を示すフローチャート。
【発明を実施するための形態】
【００２１】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は本実施形態のプロジェクター１のファームウェアのアップデート時において、プロジェクター１と外部の情報処理装置ＰＣ（外部の装置）との通信制御を示す図であり、以下の手順で通信制御が行われる。
（１）プロジェクター１が情報処理装置ＰＣよりファームウェアのダウンロード要求コマンドを受信。
（２）プロジェクター１は情報処理装置ＰＣに設定情報２１２（図３参照）のバックアップ要求コマンドを送信。
（３）プロジェクター１は情報処理装置ＰＣよりバックアップ承諾応答を受信。
（４）プロジェクター１は情報処理装置ＰＣに設定情報のデータを送信（バックアップ）。
（５）プロジェクター１は情報処理装置ＰＣにダウンロード承諾応答を送信。
（６）プロジェクター１は情報処理装置ＰＣよりファームウェアのダウンロードデータを受信（ダウンロード）。
（７）プロジェクター１は情報処理装置ＰＣにバックアップした設定情報２１２の取得要求コマンドを送信。
（８）プロジェクター１は情報処理装置ＰＣよりバックアップした設定情報のデータを受信。
【００２３】
上記の通信制御により、プロジェクター１のファームウェアのアップデートが終了する。
【００２４】
次に、本実施形態のプロジェクター１としてのプロジェクターＰＪ１が他のプロジェクターとしてのプロジェクターＰＪ２とともにファームウェアをアップデートするときの遷移を、図２を用いて説明する。なお、プロジェクターＰＪ２は、プロジェクターＰＪ１と同様の機能を備えているものとする。
また図２では、２台のプロジェクターＰＪ１、ＰＪ２の当初のファームウェアバージョンは、ともにバージョンＶ１．００であり、情報処理装置ＰＣ、およびプロジェクターＰＪ１を用いてファームウェアをバージョンＶ１．０１にアップデートする一連の遷移を示す。
【００２５】
図２は、情報処理装置ＰＣと２台のプロジェクターＰＪ１、ＰＪ２が各々の通信手段を介した通信によって接続使用されている状態を示している。
図２（ａ）は、情報処理装置ＰＣがプロジェクターＰＪ１のファームウェアをアップデートしている状態を示す。このとき情報処理装置ＰＣとプロジェクターＰＪ１は図１で示した通信制御を行う。
図２（ｂ）に示すように、プロジェクターＰＪ１のファームウェアのアップデート終了後は、プロジェクターＰＪ１のファームウェアがバージョンＶ１．００からバージョンＶ１．０１にアップデートされる。
次に、プロジェクターＰＪ１にはプロジェクターＰＪ２が通信接続されているので、プロジェクターＰＪ１により、プロジェクターＰＪ２へのファームウェアのダウンロードと、プロジェクターＰＪ２の設定情報を記憶手段に記憶させるバックアップとを含むファームウェアアップデート処理を行う。
【００２６】
図２（ｂ）は、プロジェクターＰＪ１がプロジェクターＰＪ２のファームウェアアップデート処理をしている状態を示す。このとき、プロジェクターＰＪ１は、プロジェクターＰＪ２との間で通信制御を行い、プロジェクターＰＪ２から見た場合、図１における情報処理装置ＰＣに代わって外部の装置として動作する。
なお、図２（ｂ）においてはプロジェクターＰＪ１と情報処理装置ＰＣは通信を行わないため、通信接続しておく必要はない。
【００２７】
図２（ｃ）に示すように、プロジェクターＰＪ２のファームウェアのアップデート終了後は、プロジェクターＰＪ２のファームウェアがバージョンＶ１．００からバージョンＶ１．０１にアップデートされる。プロジェクターＰＪ２には他のプロジェクターが通信接続されていないため、ここで通信接続されている全てのプロジェクターＰＪ１、ＰＪ２のファームウェアのアップデートが終了する。
【００２８】
図３は本実施形態のプロジェクター１の回路構成を示すブロック図である。
図３に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、通信手段２５、電源部３１等で構成されており、これらは図示しないプロジェクター１の筐体の内部または外面に収容されている。
【００２９】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００３０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００３１】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３２】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００３３】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３４】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。
【００３５】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理手段１６は、制御手段２０の指示に基づいて、投写画像上にメニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３７】
制御手段２０が、ＯＳＤ画像の重畳表示を指示すると、ＯＳＤ処理手段１６は、必要なＯＳＤ画像情報をＯＳＤメモリーから読み出し、投写画像の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３８】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
制御手段２０は、ＣＰＵ（Central Processing Unit）や、各種データ等の一時記憶に用いられるＲＡＭ（Random Access Memory）等を備え、記憶手段２１に記憶されているファームウェア２１１に従って動作することによりプロジェクター１の動作を統括制御する。つまり、制御手段２０は、記憶手段２１とともにコンピューターとして機能する。
【００４０】
記憶手段２１は、フラッシュメモリーやＦｅＲＡＭ等の書き換え可能な不揮発性のメモリーにより構成されており、プロジェクター１の動作を制御するためのファームウェア２１１や、プロジェクター１の動作条件等を規定する各種設定データ等が記憶されている。本実施形態では光源１１の点灯時間情報や、メニューの設定内容、エラーの発生状況等を示す設定情報２１２と、他のプロジェクターの設定情報をバックアップ保存するバックアップ情報２１３が記憶される。なお、ファームウェア２１１は通信手段２５を介して、ファームウェアデータをダウンロードし、ファームウェア２１１をアップデート可能となっている。
【００４１】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４２】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段２０に伝達する。
【００４３】
光源制御手段２２は、制御手段２０の指示に基づいて、光源１１に対する電力の供給と停止とを制御し、光源１１の点灯、及び消灯を切り替える。
【００４４】
通信手段２５は、図示しない接続端子を介して、情報処理装置ＰＣや他のプロジェクターとの間で通信を行う。通信においては図１に示したように、制御コマンド（ダウンロード要求コマンド、バックアップ要求コマンド、設定情報の取得要求コマンドなど）、コマンドに対する応答、設定情報のデータ、ファームウェアのダウンロードデータなどが送受信される。
【００４５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、プロジェクター１の動作に必要な電力（動作電力）を各部に供給する状態（電源オン状態）と、動作電力の供給を停止して、電源をオンにするための操作を待機する状態（スタンバイ状態）とを切り替えることができる。
【００４６】
次に、本実施形態のプロジェクター１の動作を図４から図７のフローチャートを用いて説明する。図４はプロジェクター１が情報処理装置ＰＣより、ファームウェアのダウンロード要求コマンドを受信したときの動作、図５はプロジェクター１が、他のプロジェクターにファームウェアアップデート処理を行うときの動作、図６はプロジェクターが設定情報２１２をバックアップするときの動作、図７はプロジェクター１がバックアップした設定情報２１２のリストア操作を受け付けたときの動作を示す。
【００４７】
［ファームウェアのダウンロード要求を受け付けたとき］
図４に示すように、プロジェクター１が、情報処理装置ＰＣより、ファームウェアのダウンロード要求コマンドを受信し、ファームウェアのダウンロード要求を受け付けると、（ステップＳ１０１）、ステップＳ１０２に遷移する。
【００４８】
ステップＳ１０２において制御手段２０は、情報処理装置ＰＣに設定情報２１２のバックアップ要求コマンドを送信し、ステップＳ１０３に遷移する。
【００４９】
ステップＳ１０３において制御手段２０は、情報処理装置ＰＣよりバックアップ承諾応答を受信したか否かを調べる。バックアップ承諾応答を受信した場合（ステップＳ１０３：Ｙ）、ステップＳ１０４に遷移する。バックアップ承諾応答を受信していない場合（ステップＳ１０３：Ｎ）、ステップＳ１０３を繰り返す。
【００５０】
ステップＳ１０４において制御手段２０は、情報処理装置ＰＣに、記憶手段２１に記憶されている設定情報２１２に基づいて設定情報のデータを送信（バックアップ）し、ステップＳ１０５に遷移する。ステップＳ１０２からステップＳ１０４がバックアップステップに相当する。
【００５１】
ステップＳ１０５において制御手段２０は、情報処理装置ＰＣにダウンロード承諾応答を送信し、ステップＳ１０６に遷移する。
【００５２】
ステップＳ１０６において制御手段２０は、情報処理装置ＰＣよりファームウェアのダウンロードデータを受信し、ステップＳ１０７に遷移する。
【００５３】
ステップＳ１０７において制御手段２０は、ステップＳ１０６において受信したファームウェアのダウンロードデータを記憶手段２１にファームウェア２１１として書き込み、ステップＳ１０８に遷移する。
【００５４】
ステップＳ１０８において制御手段２０は、情報処理装置ＰＣにバックアップした設定情報の取得要求コマンドを送信し、ステップＳ１０９に遷移する。
【００５５】
ステップＳ１０９において制御手段２０は、情報処理装置ＰＣよりバックアップした設定情報のデータを受信し、ステップＳ１１０に遷移する。
【００５６】
ステップＳ１１０において制御手段２０は、ステップＳ１０９において受信した設定情報のデータを記憶手段に設定情報２１２として保存し、ステップＳ１１１に遷移する。ステップＳ１０８からステップＳ１１０がリストアステップに相当する。
【００５７】
ステップＳ１１１において制御手段２０は、通信手段２５に他のプロジェクターが通信接続（接続）されているか否かを調べる。他のプロジェクターが接続されている場合（ステップＳ１１１：Ｙ）、ステップＳ１１２に遷移する。他のプロジェクターが接続されていない場合、ステップＳ１２０に遷移する。
【００５８】
ステップＳ１１２において制御手段２０は、通信手段２５に接続された他のプロジェクターのファームウェアアップデート処理を行い、ステップＳ１２０に遷移する。このファームウェアアップデート処理は図５に示す。
【００５９】
ステップＳ１２０において本動作フローを終了する。
【００６０】
なお、プロジェクター１が他のプロジェクター（他のＰＪ）のファームウェアのアップデート操作を受け付けた場合（ステップＳ１１５）、ステップＳ１１１に遷移し、上述した動作を実行する。
【００６１】
［プロジェクターがファームウェアアップデート処理を行うとき］
図５に示すように、プロジェクター１が、ファームウェアアップデート処理を開始すると（ステップＳ２０１）、制御手段２０は他のプロジェクターにファームウェアのダウンロード要求コマンドを送信し（ステップＳ２０２）、ステップＳ２０３に遷移する。ここで、他のプロジェクターは図４に示したステップＳ１０１と同様の動作を行う。
【００６２】
ステップＳ２０３において制御手段２０は、他のプロジェクターより設定情報のバックアップ要求コマンドを受信したか否かを調べる。バックアップ要求コマンドを受信した場合（ステップＳ２０３：Ｙ）、ステップＳ２０４に遷移する。バックアップ要求コマンドを受信していない場合（ステップＳ２０３：Ｎ）、ステップＳ２０３を繰り返す。
【００６３】
ステップＳ２０４において制御手段２０は、他のプロジェクターに設定情報のバックアップ承諾応答を送信し、ステップＳ２０５に遷移する。
【００６４】
ステップＳ２０５において制御手段２０は、他のプロジェクターより他のプロジェクターの記憶手段に記憶されていた設定情報に基づいた設定情報のデータを受信し、受信したデータを記憶手段２１にバックアップ情報２１３として保存する。次にステップＳ２０６に遷移する。
【００６５】
ステップＳ２０６において制御手段２０は、他のプロジェクターよりファームウェアのダウンロード承諾応答を受信したか否かを調べる。ダウンロード承諾応答を受信した場合（ステップＳ２０６：Ｙ）、ステップＳ２０７に遷移する。ダウンロード承諾応答を受信していない場合（ステップＳ２０６：Ｎ）、ステップＳ２０６を繰り返す。
【００６６】
ステップＳ２０７において制御手段２０は、記憶手段２１に記憶されているファームウェア２１１をダウンロードデータとして他のプロジェクターに送信し、ステップＳ２０８に遷移する。
【００６７】
ステップＳ２０８において制御手段２０は、他のプロジェクターより設定情報の取得要求コマンドを受信したか否かを調べる。設定情報の取得要求コマンドを受信した場合（ステップＳ２０８：Ｙ）、ステップＳ２０９に遷移する。設定情報の取得要求コマンドを受信していない場合（ステップＳ２０８：Ｎ）、ステップＳ２０８を繰り返す。
【００６８】
ステップＳ２０９において制御手段２０は、記憶手段２１に記憶されているバックアップ情報２１３に基づいて他のプロジェクターの設定情報のデータを他のプロジェクターに送信し、ステップＳ２１０に遷移する。
【００６９】
ステップＳ２１０において本動作フローを終了する。
【００７０】
［プロジェクターが設定情報をバックアップするときの動作］
図６に示すように、プロジェクター１が動作中に電源オフ操作を検出すると（ステップＳ３０１）、制御手段２０は光源制御手段２２により光源１１を消灯させ（ステップＳ３０２）、ステップＳ３０３に遷移する。
【００７１】
ステップＳ３０３において制御手段２０は、情報処理装置ＰＣに設定情報２１２のバックアップ要求コマンドを送信し、ステップＳ３０４に遷移する。
【００７２】
ステップＳ３０４において制御手段２０は、情報処理装置ＰＣよりバックアップ承諾応答を受信したか否かを調べる。バックアップ承諾応答を受信した場合（ステップＳ３０４：Ｙ）、ステップＳ３０５に遷移する。バックアップ承諾応答を受信していない場合（ステップＳ３０４：Ｎ）、ステップＳ３０４を繰り返す。
【００７３】
ステップＳ３０５において制御手段２０は、情報処理装置ＰＣに、記憶手段２１に記憶されている設定情報２１２に基づいて設定情報のデータを送信し、ステップＳ３１０に遷移する。
【００７４】
ステップＳ３１０において制御手段２０は、プロジェクター１の電源をオフしてスタンバイ状態に移行させ、本動作フローを終了する。
【００７５】
なお、プロジェクター１が所定のバックアップ操作を受け付けた場合にもバックアップを実行するようにしてもよい。この場合、所定のバックアップ操作を検出したとき、ステップＳ３０３からステップＳ３０５までの動作を実行する。
【００７６】
［バックアップした設定情報のリストア操作を受け付けたとき］
図７に示すように、プロジェクター１がバックアップした設定情報のリストア操作を受け付けた場合（ステップＳ４０１）、制御手段２０は、情報処理装置ＰＣにバックアップした（バックアップ済）設定情報の取得要求コマンドを送信し（ステップＳ４０２）、ステップＳ４０３に遷移する。
【００７７】
ステップＳ４０３において制御手段２０は、情報処理装置ＰＣよりバックアップした設定情報のデータを受信し、ステップＳ４０４に遷移する。
【００７８】
ステップＳ４０４において制御手段２０は、ステップＳ４０３において受信した設定情報のデータを記憶手段２１に設定情報２１２として保存し、ステップＳ４０５に遷移する。
【００７９】
ステップＳ４０５において本動作フローを終了する。
【００８０】
以上、説明したように、本実施形態のプロジェクター１によれば、情報処理装置ＰＣよりプロジェクター１のファームウェア２１１のダウンロード要求を受け付けると、ダウンロード前に設定情報２１２を情報処理装置ＰＣにバックアップし、ファームウェア２１１のダウンロード後に情報処理装置ＰＣにバックアップした設定情報２１２を戻すため、ファームウェア２１１のダウンロードによるアップデート時に誤って設定情報２１２が消去されてしまうのを防止することが可能となる。
【００８１】
また、所定のタイミングでプロジェクター１の設定情報２１２を情報処理装置ＰＣにバックアップしているので、ファームウェア２１１が何らかの要因で誤動作して設定情報２１２が消去されてしまった場合でも、情報処理装置ＰＣにバックアップしておいた設定情報２１２を戻すことが可能となる。
【００８２】
また、複数のプロジェクターが通信によって接続使用される環境において、プロジェクター１が他のプロジェクターに対しての情報処理装置ＰＣとして動作し、ファームウェア２１１のダウンロードと、設定情報２１２のバックアップとを行うファームウェアアップデート処理を実行する。これにより、複数のプロジェクターが使用される環境において、情報処理装置ＰＣは１台のプロジェクター１のファームウェアアップデートを行えば、以後は情報処理装置ＰＣがなくてもそのプロジェクター１が他プロジェクターのファームウェアアップデートを行うことができるので、情報処理装置ＰＣを他のプロジェクターのファームウェアアップデート処理の環境で占有されるのを防止し、ファームウェアアップデート処理の時間を短縮することが可能となる。
【００８３】
また、所定の操作により、プロジェクター１のファームウェア２１１を通信によって接続された他のプロジェクターにダウンロードし、ファームウェアのアップデートを行うことができるので、情報処理装置ＰＣを使わずに他のプロジェクターのファームウェア２１１をプロジェクター１のファームウェア２１１にアップデートすることが可能となる。
【００８４】
また、本実施形態は、以下のように変更してもよい。
（変形例１）
上記実施形態において、プロジェクター１のファームウェアのダウンロードデータの受信後に、バックアップした設定情報２１２を取得して設定する処理（リストア処理）を省略するようにしてもよい。つまり、ファームアップデート後に必要がある場合のみに所定操作でバックアップした設定情報２１２のリストア処理を行うので、プロジェクター１のファームウェア２１１のアップデートにかかる時間を削減することが可能となる。
【符号の説明】
【００８５】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１１…ファームウェア、２１２…設定情報、２１３…バックアップ情報、２２…光源制御手段、２３…入力操作手段、２５…通信手段、３０…電源端子、３１…電源部、ＰＣ…情報処理装置。
【図１】
2014081699.tif 000003
【図２】
2014081699.tif 000004
【図３】
2014081699.tif 000005
【図４】
2014081699.tif 000006
【図５】
2014081699.tif 000007
【図６】
2014081699.tif 000008
【図７】
2014081699.tif 000009